(57)【要約】      （修正有）【課題】ゴミ拾い時の姿勢が楽で、疲れが少ないつかみ具を提供する。【解決手段】Ｕ字形状のつかみ本体１と、Ｔ字形状のゴミのつかみピース２と回動するようにリベット４にて連結する。つかみピース２には、つかんだものが外れないようなつかみ部材３を用いリベットなどで取り付けする。【選択図】図２
0003177368.tif 000002
【実用新案登録請求の範囲】
【請求項１】
物をつかみ又は  はさみ用具にて、
イ）バネ性を出すためにＵ字形状にした  つまみ本体（１）と  Ｔ字形状にした  つかみ    ピース（２）に分割し、
ロ）前記の両者をリベット（４）にて連結するも、つかみピースは、リベット軸芯にて回    動する様に連結し、
ハ）つかみ本体の連結部の平部に  つかみピースの回り止め用の  ストッパーを設け、
ニ）Ｔ字形した  つかみピースに  つかみ部材  を装着する、
以上の部品にて構成されたことを特徴とする  つかみ具である。
【請求項２】
イ）つかみ本体コンプリート（３５）は、つかみ本体１１（ａ）とつかみ本体１１（ｂ）    とを連結する連結プレート（３１）部品を用いて構成され、
ロ）これらを  蝶ボルトとナットを使用して締結する、
ことを特徴とする  請求項１の  つかみ具  である。
【請求項３】
イ）つかみ本体と  つかみ部が一体の  つかみ具（２０）にて、
ロ）つかみ部（２３）の端面の底辺に  傾斜角を設ける、
以上より構成してなることを特徴とする請求項１の  つかみ具である。
【考案の詳細な説明】
【技術分野】
【０００１】  本考案は、物をはさみ  または、つかみに関するものである。
【背景技術】
【０００２】  近年、排ガス、観光面から街の美化で  環境面からの問題が叫ばれるようになってきた。
物のつかみにて、環境に関する代表として、ゴミ拾いを挙げることができる。
【考案の概要】
【考案が解決しようとする課題】
【０００３】  近年、排ガス、観光面などから街の美化など環境面からの問題が世界的に叫ばれるようになってきた。
街の美化などは、ちょっとした  こころ使いでゴミを少なくすることは可能であるが、街に放出されたゴミなどは、地域又は地元の人の処理の対応にて可能である。
簡易な方法にて  放出されたゴミを  簡単に処理出来るものがないかが課題であった。
【課題を解決するための手段】
【０００４】  本考案は、前記の様な課題に対応するために、扱いやすい形状と大きさにて、物のはさみ部の形状の構成にて可能とした。
携帯用の「つかみ具」のものを  Ｕ字型にした  つかみ本体（１）と  つかみピース（２）に分割し、両者をリベット（４）にて連結するも  リベット軸心にて回動するものにて対応した。
【考案の効果】
【０００５】  本考案の第一実施例は、地面に落ちているゴミ（タバコの吸い殻・紙くず・みかんの皮）などをゴミ箱へ拾いあげて処理するのに
イ）  つかみピース（２）がつかみ本体（１）に対し、作動角（θ＝３０度）分だけ地面      に「なじむ」ために、  確実に容易に  ゴミをつかみ易く  能率的である。
ロ）  従来は、地面に対して  つかみ本体（握り柄）が垂直になるために、ゴミの拾い揚      げが困難であり、何回も取り残しの処理が厄介だった。
ハ）  子供から大人までの取扱いが、  作動角（θ＝３０度）があるために使用が出来る      様になった。
ニ）  尚、図５は、第一実施例の改良で、軸柄の長さの調節が、連結プレート（３１）を      追加し、これらの連結を蝶ボルト（３２）の組替え（脱着）にて簡単に出来る様に      したので子供から大人まで  使う人の汎用性が拡大した。【０００６】  本考案の第二実施例は、平ナベ底面に対して物のつかみ易くした事例であって、
イ）つかみ本体（２１）の端部に傾斜角（θ２）を設けることで  なべ物の  いため焼き    物を  容易に掴み取りが出来る。
ロ）構造がシンプルにて取扱いが、容易である。
【図面の簡単な説明】
【０００７】
【図１】  本考案の  第１実施例の  はさみ具の側面図；  図２のＡ視
【図２】  本考案の  図１の  平面図
【図３】  本考案の  第２実施例の  はさみ具の側面図；  図４のＢ視
【図４】  本考案の  第２の  平面図
【図５】  本考案の  第３実施例の  はさみ具の側面図；  図６のＣ視
【図６】  本考案の  図５の  平面図
【図７】  ゴミ拾いの  例示；  （ａ）従来品の使用例  （ｂ）本考案の使用例
【考案を実施するための形態】
【０００８】  図１に示す本考案の第一実施例は、つかみ具（１０）を  つかみ本体（１）と  つかみピース（２）とに分割をして  両者をリベット（４）にて連結するもリベット軸芯にて回動するようになっている。
つかみ本体は、つかみの反復力のために、Ｕ字型に成形された形状で、鋼材にて成形。
尚、つかみ本体の軸柄の中央部は、剛性を出すために山形状にてプレス成形している。
【０００９】  軸柄に対して  つかみピースとの回動角は、約３０度位まで可能であるので、全高（又は、軸柄）も短い寸法にて可能になり、その分に小型にて対応が可能になった。
つかみピースには、はさむものが外れないように  つかみ（３）の用材を取付ける。
握り部は、握り易さと  すべり止め用に  ビニール  カバーでコーテイング（ヒシチューブ化）している。  尚、握り部は、下地にプレスにて  突起を４から５ケを設けている。
【００１０】  図３に示す本考案の第二実施例は、料理する浅底の鍋にて卵焼きなどの時に使用するつかみ具である。  （第一実施例の  応用としての事例として；  第二実施例である）
はさみ具の端部は、バネ性を持たせるために鋼材にて輪状に成形され、握り部は、すべり防止のために山形状の突起部（２１ａ）を４から５ケを持っていて  成形されている。
尚、軸柄の中央部は，剛性を持たせるために凸形状にプレスされている。
【００１１】  はさみの端部の底辺が従来のものは、すくいの幅一杯であるが、本考案の第二実施例のものは、はさみの底辺の幅の（１／２）のところから立ち上がって（傾斜角；θ２）いる。
【００１２】  図５に示す本考案の第三実施例は、第一実施例の一部の部品、すなわち  つかみ本体（１）を分割し、新たに部品（連結プレート；３１）を追加して  軸柄の長さ（長短）の調節が  蝶ボルト（３２）使用にて簡易に出来るものでる。
【実施例】
【００１３】  以下、添付図に従って、第一実施例を説明する。
１は、鋼材（はがね  または、  ステンレス材）にてバネ性を出すためにＵ字型に成形さ      れた  つかみ本体である。
イ）幅２０ミリ  板厚１．２ミリ  長さ８０センチ  もので製作されていて、
ロ）一端の端部の形状は、バネ性を出すためにＵ字形状になり、本考案の握り部になる      ところは、突起が４から５ケの山部がプレスにて成形され  手がすべらない様にす      るためである。
ハ）握柄の長手方向の中程は、凸状の形状にプレスにて成形して  強度をもたしている      。
ニ）他端は  平面状になり、この部に物をつかみ易くする為の  つかみピース（２）の      取り付けのために  平面状になり、支点孔（４）と  つかみピース（２）の回り止      めにストッパー孔（７）をもっている  つかみ本体である。
２は、物をつかむための  つかみピースである。
３は  物をつかむときに  すべり防止のために  つかみピースに  取り付けの３ケの径孔      があけられている  つかみ（部材）である。
４は、つかみピース（２）をつかみ本体（１）に取付けの  リベットである。
５は、つかみピース（２）の  首ふりを容易にするために使用の  平座金である。
６は、つかみ（部材）（３）を  つかみピース（２）に取付けの鋼材の  ナベリベット。
７は、つかみ本体に取付けの鋼材にて製作の  ストッパーである。
８は、手になじみ易く  にぎりやすい  すべり止めのために設けた  ビニール  カバー。
１０は、物をつかむときの  第１実施例の  つかみ具である。
２０は、物をつかむときの  第２実施例の  つかみ具である。
２１は、鋼材（又は  ステンレス材）にて製作のプレスにて成形の  つかみ本体である。
３０は、物をつかむときの  第３実施例の  つかみ具である。
３１は、鋼材（又は  ステンレス材）にて山型形状にプレスにて成形の  連結プレート
３２は、蝶ボルト
３３は、六角ナット
３４は、（鋼材  ）ボルト孔
３５は、連結プレート（３１）にて、つかみ本体（１１ａ）と（１１ｂ）とを蝶ボルト（      ３２）と六角ナット（３３）にて連結した  つかみ本体コンプリート（販売用）で      ある。
【符号の説明】
【００１４】  １は、つかみ本体  ；      １ａは、つかみ本体（ａ）、  １ｂは、つかみ本体（ｂ）
２は、つかみ  ピース        ３は、つかみ部材
４は、リベット              ５は、平座金  、            ６は、なべ  リベット
７は、ストッパー
８は、ビニール  カバー
１０は、つかみ具  、、、、本考案の第一実施例
２０は、つかみ具  、、、、本考案の第二実施例
３０は、つかみ具  、、、、本考案の第三実施例【００１５】  ３１は、連結プレート
３２は、蝶ボルト        ３３は、六角ナット      ３４は、ボルト孔
１ａは、突起          ２１は、つかみ本体    ２１ａは、突起
１ｂは、バネ部        ２１ｂは、バネ部        ２３は、つかみ部
θ１  、、、、作動角                          θ２  、、、、傾斜角
ＧＬ１  、、、地面  又は、平面部          ＧＬ２  、、、、ナベ底面（飲食物）
【図１】
0003177368.tif 000003
【図２】
0003177368.tif 000004
【図３】
0003177368.tif 000005
【図４】
0003177368.tif 000006
【図５】
0003177368.tif 000007
【図６】
0003177368.tif 000008
【図７】
0003177368.tif 000009